(57)【要約】【課題】  簡単な構成で入射端面が汚れにくく、かつ傷が付きにくい再生専用ホログラム媒体を提供する。【解決手段】  再生専用ホログラム媒体としての積層ホログラムＲＯＭ媒体１は、レーザ等の光源からの光が入射される入射端面２において、回折格子層が設けられていない最上層１ａ、最下層１ｂの端面を、該最上層１ａ、最下層１ｂ以外の前記回折格子層を含む層１cの端面に対して突出させるように形成されている。また、積層ホログラムＲＯＭ媒体１は、入射端面２において、前記回折格子層が設けられていない最上層１ａ、最下層１ｂの端面に対して該最上層１ａ、最下層１ｂ以外の前記回折格子層を含む層の端面を内側に後退させるように形成してもよい。【選択図】    図１
2005338376.tif 000002
【特許請求の範囲】
【請求項１】
コア層とクラッド層とが交互に積層され、前記コア層とクラッド層との境界に情報が記憶されている回折格子層が設けられてなる再生専用ホログラム媒体であって、
少なくとも、前記ホログラム媒体に光源からの光が入射される入射端面において、前記回折格子層が設けられていない最上層、最下層の端面を、該最上層、最下層以外の前記回折格子層を含む層の端面に対して突出させるように形成したことを特徴とする再生専用ホログラム媒体。
【請求項２】
コア層とクラッド層とが交互に積層され、前記コア層とクラッド層との境界に情報が記憶されている回折格子層が設けられてなる再生専用ホログラム媒体であって、
少なくとも、前記ホログラム媒体に光源からの光が入射される入射端面において、前記回折格子層が設けられていない最上層、最下層の端面に対して該最上層、最下層以外の前記回折格子層を含む層の端面を内側に後退させるように形成したことを特徴とする再生専用ホログラム媒体。
【請求項３】
前記回折格子層が設けられていない最上層、最下層の端面と前記回折格子層を含む層の端面との段差は、前記入射端面を指で押圧した場合に該指が前記回折格子層を含む層の端面に触れない程度の間隔に設定されることを特徴とする請求項１または２のいずれかに記載の再生専用ホログラム媒体。
【請求項４】
前記回折格子層を含む層の端面に透明の保護部が形成されていることを特徴とする請求項１乃至３のいずれかに記載の再生専用ホログラム媒体。
【請求項５】
請求項1乃至４のいずれかに記載の再生専用ホログラム媒体に記憶されたデータを再生する再生専用ホログラム媒体再生装置において、
前記再生専用ホログラム媒体の所望のコア層に光を入射させる光ヘッドと、
前記再生専用ホログラム媒体から出射する再生光のうち前記再生専用ホログラム媒体の一方向に出射する再生光を検出する第１の撮像器と、
前記再生専用ホログラム媒体から出射する再生光のうち前記一方向とは異なる他の方向に出射する再生光を検出する第２の撮像器と、
前記第１、第２の撮像器の検出出力に基づいて再生専用ホログラム媒体に記憶されたデータの再生処理を行う処理部と、
を有することを特徴とする再生専用ホログラム媒体再生装置。
【請求項６】
前記再生専用ホログラム媒体には、誤り訂正符号を使用してデータが符号化されて記憶されており、
前記処理部は、前記第１、第２の撮像器のいずれか一方の検出出力に基づいて前記データを再生する際にエラー検出を行い、復号不能である場合には、前記第１、第２の撮像器のうち他方の撮像器の検出出力についてエラー検出を行い、該エラー検出結果に基づいてデータを再生することを特徴とする請求項５に記載の再生専用ホログラム媒体再生装置。
【発明の詳細な説明】
【技術分野】
【０００１】
本発明は、再生専用ホログラム媒体及び再生専用ホログラム媒体再生装置に関する。
【背景技術】
【０００２】
従来の再生専用ホログラム媒体としての積層ホログラムＲＯＭについて以下に説明する(例えば、特許文献１参照)。
図５は、積層ホログラムＲＯＭ媒体１０１の側面(断面)を示す図であり、コア層１０２とクラッド層１０３とが交互に積層され、コア層１０２とクラッド層１０３との境界に回折格子層１０４が設けられた構造を成している。
回折格子層１０４には情報が例えば凹凸形状によって記憶されている。
【０００３】
図６は積層ホログラムＲＯＭドライブ１０５の側面を示す図であり、積層ホログラムＲＯＭドライブ１０５は、光ヘッド１０６と、撮像器１０７とから構成されている。光ヘッド１０６は積層ホログラムＲＯＭ媒体１０１の所望のコア層に入射光１０８を入射する機能を持つ。１１０は、積層ホログラムＲＯＭ媒体１０１を装填するための媒体装填口であり、１１１は、媒体が収容される媒体装填スペースである。
【０００４】
光ヘッド１０６により積層ホログラムＲＯＭ媒体１０１の所望のコア層１０２に入射光１０８を入射させると、光は回折格子層１０４に記憶されている情報に依存して回折され、再生光１０９が積層ホログラムＲＯＭ媒体１０１の上面に出射する。
【０００５】
これを撮像器１０７で検出すると積層ホログラムＲＯＭ媒体１０１に蓄積された情報を再生することができる。積層ホログラムＲＯＭ媒体１０１は小型大容量化でき、また積層ホログラムＲＯＭドライブ１０５は構成、構造が単純なため小型化できる。積層ホログラムＲＯＭは将来の小型大容量なコンテンツ配布用メモリとして期待されている。 
【特許文献１】特開平１１−３４５４１９号公報
【発明の開示】
【発明が解決しようとする課題】
【０００６】
しかしながら、従来の積層ホログラムＲＯＭ媒体にあっては、光源から射出さた光を入射する入射端面は、積層ホログラムＲＯＭ媒体ドライブに装填する際に、手に触れやすいので、指紋等が付きやすく、また、傷つき易いという問題がある。
また、このような積層ホログラムＲＯＭ媒体を再生する再生専用ホログラム媒体再生装置では、媒体の汚れ、傷に起因してデータを正しく再生できないことが少なからず有るという問題も有った。
【０００７】
本発明は、このような事情に鑑みてなされたものであり、簡単な構成で入射端面が汚れにくく、かつ傷が付きにくい再生専用ホログラム媒体、及びデータを正しく再生できる確率の向上を図った再生専用ホログラム媒体再生装置を提供することを目的とする。
【課題を解決するための手段】
【０００８】
上記目的を達成するために請求項１に記載の発明は、コア層とクラッド層とが交互に積層され、前記コア層とクラッド層との境界に情報が記憶されている回折格子層が設けられてなる再生専用ホログラム媒体であって、少なくとも、前記ホログラム媒体に光源からの光が入射される入射端面において、前記回折格子層が設けられていない最上層、最下層の端面を、該最上層、最下層以外の前記回折格子層を含む層の端面に対して突出させるように形成したことを特徴とする。
【０００９】
また、請求項２に記載の発明は、コア層とクラッド層とが交互に積層され、前記コア層とクラッド層との境界に情報が記憶されている回折格子層が設けられてなる再生専用ホログラム媒体であって、少なくとも、前記ホログラム媒体に光源からの光が入射される入射端面において、前記回折格子層が設けられていない最上層、最下層の端面に対して該最上層、最下層以外の前記回折格子層を含む層の端面を内側に後退させるように形成したことを特徴とする。
【００１０】
また、請求項３に記載の発明は、請求項１または２のいずれかに記載の再生専用ホログラム媒体において、前記回折格子層が設けられていない最上層、最下層の端面と前記回折格子層を含む層の端面との段差は、前記入射端面を指で押圧した場合に該指が前記回折格子層を含む層の端面に触れない程度の間隔に設定されることを特徴とする。
【００１１】
また、請求項４に記載の発明は、請求項１乃至３のいずれかに記載の再生専用ホログラム媒体において、前記回折格子層を含む層の端面に透明の保護部が形成されていることを特徴とする。
【００１２】
また、請求項５に記載の発明は、請求項1乃至４のいずれかに記載の再生専用ホログラム媒体に記憶されたデータを再生する再生専用ホログラム媒体再生装置において、前記再生専用ホログラム媒体の所望のコア層に光を入射させる光ヘッドと、前記再生専用ホログラム媒体から出射する再生光のうち前記再生専用ホログラム媒体の一方向に出射する再生光を検出する第１の撮像器と、前記再生専用ホログラム媒体から出射する再生光のうち前記一方向とは異なる他の方向に出射する再生光を検出する第２の撮像器と、前記第１、第２の撮像器の検出出力に基づいて再生専用ホログラム媒体に記憶されたデータの再生処理を行う処理部とを有することを特徴とする。
【００１３】
また、請求項６に記載の発明は、請求項５に記載の再生専用ホログラム媒体再生装置において、前記再生専用ホログラム媒体には、誤り訂正符号を使用してデータが符号化されて記憶されており、前記処理部は、前記第１、第２の撮像器のいずれか一方の検出出力に基づいて前記データを再生する際にエラー検出を行い、復号不能である場合には、前記第１、第２の撮像器のうち他方の撮像器の検出出力についてエラー検出を行い、該エラー検出結果に基づいてデータを再生することを特徴とする。
【発明の効果】
【００１４】
以上説明したように、本発明の再生専用ホログラム媒体によれば、少なくとも、再生専用ホログラム媒体に光源からの光が入射される入射端面において、前記回折格子層が設けられていない最上層、最下層の端面を、該最上層、最下層以外の前記回折格子層を含む層の端面に対して突出させるか、または前記回折格子層が設けられていない最上層、最下層の端面に対して該最上層、最下層以外の前記回折格子層を含む層の端面を内側に後退させるようにして、再生専用ホログラム媒体の入射端面に手が触れないように構成したので、入射端面に指紋が付くことによる汚れや、傷がつきにくい、という効果が得られる。
【００１５】
また、本発明の再生専用ホログラム媒体再生装置によれば、再生専用ホログラム媒体の所望のコア層に光を入射させる光ヘッドと、前記再生専用ホログラム媒体から出射する再生光のうち前記再生専用ホログラム媒体の一方向に出射する再生光を検出する第１の撮像器と、前記再生専用ホログラム媒体から出射する再生光のうち前記一方向とは異なる他の方向に出射する再生光を検出する第２の撮像器と、前記第１、第２の撮像器の検出出力に基づいて再生専用ホログラム媒体に記憶されたデータの再生処理を行う処理部とを有し、前記処理部は、前記第１、第２の撮像器のいずれか一方の検出出力に基づいて前記データを再生する際にエラー検出を行い、復号不能である場合には、前記第１、第２の撮像器のうち他方の撮像器の検出出力についてエラー検出を行い、該エラー検出結果に基づいてデータを再生するようにしたので、再生専用ホログラム媒体の表面または裏面に汚れや、傷があっても、データを正しく再生できる確率の向上が図れる、という効果が得られる。
【発明を実施するための最良の形態】
【００１６】
以下、本発明の実施形態を、図面を参照して詳細に説明する。本発明の実施形態に係る再生専用ホログラム媒体の構成例を図１に示す。再生専用ホログラム媒体として積層ホログラムＲＯＭ媒体を例にとり、説明する。同図に示す積層ホログラムＲＯＭ媒体１は、コア層とクラッド層とが交互に積層され、前記コア層とクラッド層との境界に情報が記憶されている回折格子層が設けられてなる再生専用ホログラム媒体である。コア層、クラッド層、回折格子層については具体的に示していないが、この構造は、図５に示す従来の積層ホログラムＲＯＭ媒体と同様である。
【００１７】
本発明の実施形態に係る積層ホログラムＲＯＭ媒体１は、少なくとも、レーザ等の光源からの光が入射される入射端面２において、回折格子層が設けられていない最上層１ａ、最下層１ｂの端面を、該最上層１ａ、最下層１ｂ以外の前記回折格子層を含む層１cの端面に対して突出させるように形成されている。
また、本発明の実施形態に係る積層ホログラムＲＯＭ媒体１は、少なくとも、入射端面２において、前記回折格子層が設けられていない最上層１ａ、最下層１ｂの端面に対して該最上層１ａ、最下層１ｂ以外の前記回折格子層を含む層の端面を内側に後退させるように形成してもよい。
【００１８】
前記回折格子層が設けられていない積層ホログラムＲＯＭ媒体１の最上層１ａ、最下層１ｂの端面と前記回折格子層を含む層１cの端面との段差は、前記入射端面を指３で押圧した場合に指３が前記回折格子層を含む層１cの端面に触れない程度の間隔Ｄに設定される。
このように構成することにより、積層ホログラムＲＯＭ媒体１の入射端面に手が触れないようすることができるので、入射端面に指紋が付くことによる汚れや、傷がつきにくい、という効果が得られる。
【００１９】
また、図２に示すように、積層ホログラムＲＯＭ媒体１において、前記回折格子層を含む層１cの端面に透明の保護部４を形成するようにしてもよい。この保護部４は、透明な保護板、保護膜、保護層のいずれでもよい。
このように保護部４を設けることにより、指紋等の汚れは、用意に拭き取るこができ、入射端面を傷つけることがないので、積層ホログラムＲＯＭ媒体１の入射端面の汚れ、傷に起因する再生光のノイズの低減が図れる。
【００２０】
次に、本発明に係る再生専用ホログラム媒体再生装置としてのドライブの構成を図３に示す。同図において、５は積層ホログラムＲＯＭの再生に用いるドライブであり、少なくとも光ヘッド６と、撮像器７、８と、再生処理部９と、撮像器８を積層ホログラムＲＯＭ媒体１の再生光が出射する面に直交するＸ方向に移動させる移動機構１４と、各部を制御する制御部１５とから構成される。撮像器の数は本実施形態では、２つ有している。なお、図３では、ドライブ５の構成要素として、媒体１をドライブ５内に装填する入り口である媒体装填口１０、媒体が装填されるスペースである媒体装填スペース１１を含んでいる。
【００２１】
光ヘッド６は媒体１の所望のコア層２に入射光１２を入射する機能を持つ。例えば入射光１２の発生源であるレーザ光源、入射光１２をコア層２に集光させる機能をもつ集光レンズ、入射光１２を所望のコア層２の位置、角度で入射させる機能を持つアクチュエータなどから構成される。また、光ヘッド６は、特定のコア層２の位置、角度に入射光１２を移動、停止させるサーボ機能を有する。
撮像器７、８は積層ホログラムＲＯＭ媒体１から出射した再生光１３を検出する機能を持つ。
【００２２】
撮像器７、８は、ＣＯＤ、ＣＭＯＳなど二次元撮像器、ラインセンサなど一次元撮像器、フォトダイオードなどが例として挙げられる。再生光９は二次元データとして出射されるため一次元撮像器、さらに二次元撮像器ではこれをより短時間で検出できるという効果がある。本実施形態では、撮像器７は、積層ホログラムＲＯＭ媒体１の上方に出射する再生光を検出し、撮像器８は、積層ホログラムＲＯＭ媒体１の下方に出射する再生光を検出するようになっている。
ここで、制御部１５の制御下に、撮像器８を積層ホログラムＲＯＭ媒体１の再生光が出射する面に直交するＸ方向に、すなわち図上、上下方向に移動させる移動機構１４を設けたのは、再生光により結像される位置が図上、上下方向で対称にならないために、位置調整をする必要があるためである。
【００２３】
なお、撮像器７、８の配置は、図３に示す例に限らず、回折格子層からの再生光を検出できる位置であればよく、例えば、積層ホログラムＲＯＭ媒体１の上方、下方に出射する再生光の一方を、積層ホログラムＲＯＭ媒体１の再生光の他方と積層ホログラムＲＯＭ媒体１の同じ側に光学手段により導くことにより積層ホログラムＲＯＭ媒体１の上方、下方の一方に配置するようにしてもよい。
制御部１５の制御下に再生処理部９は、撮像器７、８の検出出力に基づいて積層ホログラムＲＯＭ媒体１に記憶されたデータの再生処理を行う機能を有している。
【００２４】
以下に、再生専用ホログラム媒体再生装置の動作について説明する。
上記構成において、光ヘッド６により積層ホログラムＲＯＭ媒体１の所望のコア層に入射光１２を入射させると、再生光１３が例えば媒体１の上面及び下面に出射する。これを撮像器７、８で検出し、該検出出力を処理部９で処理すると積層ホログラムＲＯＭ媒体１に記憶された情報を再生することができる。積層ホログラムＲＯＭ媒体１は小型大容量化でき、またドライブ５も構成、構造が単純なため小型化できる。
【００２５】
次に、再生専用ホログラム媒体再生装置の再生処理部９による積層ホログラムＲＯＭ媒体１再生時のエラー検出時の動作について図４を参照して説明する。同図において、再生処理部９では、積層ホログラムＲＯＭ媒体１の回折格子層から出射された再生光を検出する撮像器７の検出出力を取り込み、再生し（ステップ５０）、次いで再生されたデータのエラー検出を行い、エラーが有る場合には、誤り訂正を行う（ステップ５１）。
【００２６】
次いで、データにエラーがあった場合にエラー訂正の結果、復号可能か否かを判定し（ステップ５２）、復号が可能であれば再生データは正しいものとして扱う（ステップ５６）。
他方、ステップ５２でエラー訂正の結果、復号が不能であると判定された場合には、撮像器８の検出出力を取り込み、再生し（ステップ５３）、次いで再生されたデータのエラー検出を行い、エラーが有る場合には、誤り訂正を行う（ステップ５４）。
【００２７】
次いで、データにエラーがあった場合にエラー訂正の結果、復号可能か否かを判定し（ステップ５５）、復号が可能であれば再生データは正しいものとして扱う（ステップ５６）。
他方、ステップ５５でエラー訂正の結果、復号が不能であると判定された場合には、再生されたデータは誤りとして扱う（ステップ５７）。
【図面の簡単な説明】
【００２８】
【図１】本発明の実施形態に係る再生専用ホログラム媒体の構成の一例を示す図。
【図２】本発明の実施形態に係る再生専用ホログラム媒体の構成の他の例を示す図。
【図３】本発明の実施形態に係る再生専用ホログラム媒体再生装置の構成を示す図。
【図４】図３に示した本発明の実施形態に係る再生専用ホログラム媒体再生装置における再生処理部の処理内容を示すフローチャート。
【図５】従来の再生専用ホログラム媒体の構成を示す側面（断面）図。
【図６】従来の再生専用ホログラム媒体用ドライブの構成を示す図。
【符号の説明】
【００２９】
１…積層ホログラムＲＯＭ媒体
４…保護部
５…ドライブ
６…光ヘッド
７、８…撮像器
９…再生処理部
【図１】
2005338376.tif 000003
【図２】
2005338376.tif 000004
【図３】
2005338376.tif 000005
【図４】
2005338376.tif 000006
【図５】
2005338376.tif 000007
【図６】
2005338376.tif 000008